(57)【要約】  装置（１）に情報を取得するための方法であって、当該の方法は、一つ以上のＲＦＩＤタグ（１１，１１’）内に保存された幾つかのコード（１００，１０１）により装置（１）に標識を付ける工程と、ＲＦＩＤリーダー機器（２）を用いて、当該のコードの中の少なくとも一つを非接触式に読み取る工程と、当該のリーダー機器（２）が、読み取った一つ以上のコードのセットをネームサービスサーバー（６）に電気通信網（４）を介して送信する工程と、当該のネームサービスサーバー（６）が、一つ以上のハイパーテキストページのアドレスを返答する工程と、当該のハイパーテキストページを用いて、探し求める情報（７）にアクセスする工程とを有する。この発明は、ＲＦＩＤリーダー機器によって読み取ったすべてのコード（１００，１０１）を送信するセット内に含めるのではなく、当該のセット内に含める一つ又は複数のコード（１００，１０１）を当該のリーダー機器（２）において選定することを特徴とする。【特許請求の範囲】
【請求項１】
一つ以上のＲＦＩＤタグ（１１）内に保存された幾つかのコード（１００，１０１）により装置（１）に標識を付ける工程と、
ＲＦＩＤリーダー機器（２）を用いて、当該のコードの中の少なくとも一つを非接触式に読み取る工程と、
当該のリーダー機器（２）が、読み取った一つ以上のコードのセットをネームサービスサーバー（６）に電気通信網（４）を介して送信する工程と、
ネームサービスサーバー（６）が、一つ以上のハイパーテキストページのアドレスを返答する工程と、
当該のハイパーテキストページを用いて、探し求める情報（７）にアクセスする工程と、
を有する、装置（１）に情報を取得するための方法において、
ＲＦＩＤリーダー機器（２）によって読み取ったコード（１００，１０１）のサブセットを、当該の送信するセット内に含めることと、
当該のセット内に含める一つ又は複数のコード（１００，１０１）を、当該のリーダー機器（２）において選定することと、
を特徴とする方法。
【請求項２】
当該のリーダー機器（２）が、利用者によって操作され、
当該のセット内に含められる一つ又は複数のコード（１００，１０１）が、自動的に選定される請求項１に記載の方法。
【請求項３】
当該のリーダー機器（２）が、利用者を識別する手段（３）を有し、
当該の選定される一つ又は複数のコードが、当該の利用者の識別に依存する請求項２に記載の方法。
【請求項４】
当該のリーダー機器が、利用者を識別するためのチップカード（３０）を有し、
選定される一つ又は複数のコード（１００，１０１）が、当該のチップカード（３０）の内容に依存する請求項２又は３に記載の方法。
【請求項５】
当該のリーダー機器（２，３）が、位置を決定する手段を有し、
選定される一つ又は複数のコード（１００，１０１）が、利用者の位置に依存する請求項１から４までのいずれか一つに記載の方法。
【請求項６】
当該のリーダー機器（２）が、時間を決定する手段を有し、
選定される一つ又は複数のコード（１００，１０１）が、時間に依存する請求項１から５までのいずれか一つに記載の方法。
【請求項７】
当該のリーダー機器（２）が、利用者のプロファイルにアクセス可能であり、
選定される一つ又は複数のコード（１００，１０１）が、当該のプロファイルに依存する請求項２から６までのいずれか一つに記載の方法。
【請求項８】
一つ又は複数のコード（１００，１０１）が、その値に依存して選定される請求項１から７までのいずれか一つに記載の方法。
【請求項９】
当該のリーダー機器（２）が、電子的な金銭口座にアクセス可能であり、
当該の情報にアクセスするために、当該の金銭口座から金額が差し引かれ、
差し引かれる金額が、選定された量に依存する請求項１から８までのいずれか一つに記載の方法。
【請求項１０】
当該のリーダー機器（２）が、移動体機器（３）で構成されるか、或いは移動体機器（３）と接続されており、
当該の電気通信網（４）は、当該の移動体機器（３）が接続されているセルラー移動体無線網である請求項１から９までのいずれか一つに記載の方法。
【請求項１１】
当該の移動体網（４）が、中核となるインフラストラクチャ（４０）を有し、
当該の選定される一つ又は複数のコードが、当該のインフラストラクチャによって決まるパラメータに依存する請求項１０に記載の方法。
【請求項１２】
当該のリーダー機器が利用者によって操作され、
当該のセットに含まれる一つ又は複数のコードが、当該の利用者によって選定される請求項１から１１までのいずれか一つに記載の方法。
【請求項１３】
当該の装置（１）が、幾つかのコード（１００，１０１）を有し、
当該のセットが、当該のコード（１００，１０１）の中の一つを含む請求項１から１２までのいずれか一つに記載の方法。
【請求項１４】
当該の装置（１）が、一つのコード（１００，１０１）を有する少なくとも一つのタグ（１１，１１’）を備えている請求項１から１３までのいずれか一つに記載の方法。
【請求項１５】
当該の装置（１）が、幾つかのコード（１００，１０１）を有する少なくとも一つのタグ（１１）を備えている請求項１から１４までのいずれか一つに記載の方法。
【請求項１６】
当該のリーダー機器（２）が、当該のアクセス可能なコードを読み取って、その次に読み取ったコードから一つのセットを選定する請求項１から１５までのいずれか一つに記載の方法。
【請求項１７】
当該のリーダー機器（２，３）が、当該のアクセス可能なコードを読み取り、好適なコードセットを見い出した場合直ちにその他のコードの探索を中止する請求項１から１５までのいずれか一つに記載の方法。
【請求項１８】
読み取った幾つかのコードから成るメニューを、選定のために利用者に表示する請求項１から１７までのいずれか一つに記載の方法。
【請求項１９】
当該のメニューが、当該のハイパーテキストページから取得した不完全な情報を既に含む請求項１８に記載の方法。
【請求項２０】
少なくとも一定のコードと関連する情報にアクセスするためには、パスワードが要求され、
当該のパスワードは、異なるコードに対して異なるパスワードが要求される請求項１から１９までのいずれか一つに記載の方法。
【請求項２１】
一定の情報が、幾つかのコードを読み取って提示した利用者に対してのみ提供可能である請求項１から２０までのいずれか一つに記載の方法。
【請求項２２】
幾つかの異なるコード（１００，１０１）が、読み取り専用のメモリ領域に保存されており、
当該のコード（１００，１０１）は、同じビット数を有し、そのためネームサービスサーバー（６）に対する指標としての役割を果たし、
当該のすべてのコード（１００，１０１）は、同じＲＦＩＤインタフェースを介して、外部から読み取ることが可能であるＲＦＩＤタグ（１１）。
【請求項２３】
当該のコード（１００，１０１）だけが、当該のインタフェースを介して読み取ることが可能である請求項２２に記載のＲＦＩＤタグ（１１）。
【発明の詳細な説明】
【技術分野】
【０００１】
この発明は、独立請求項にもとづく利用者及びＲＦＩＤタグに対して情報及びサービスを提供可能とする方法に関する。
【背景技術】
【０００２】
所謂ＲＦＩＤ部品（又はタグ）により、装置に情報を取得するための方法が既に知られている。そのために、一定のタグは、ＲＦＩＤリーダー機器により非接触式で読み取ることができ、探し求める情報を保存するためのメモリ領域を有する。このタグの価格は、大きくメモリサイズに依存するので、そのようなタグは、特に、例えば、装置製造日、シリアル番号などの少ない情報しか必要としない場合に使用される。特許文献１は、例えば、ＲＦＩＤリーダー機器と複数の読み取り対象のＲＦＩＤタグを記載している。
【０００３】
幾つかのタグに関する情報を保存した外部データベースから探し求める情報を取り出すその他の方法も周知である。この場合、コードをタグから読み取って、探し求める情報を取り出す外部データベースにおける検索基準として使用している。そのために、データベース内における装置とデータセット間の関連付けは静的かつ恒久的であり、一つのタグにより標識を付けられた装置は、常に同じ情報にアクセスすることとなる。
【０００４】
しかし、多くの場合、利用者が異なれば、必要とする情報も異なる。例えば、装置製造業者は、装置がいつ製造されたかを知りたい一方、最終利用者は、恐らく使用期限に興味を持っている。一定の利用者に対して、一定の情報を機密としなければならない場合も有る。安価な読み取り専用タグを使用する従来の方法は、このようなセキュリティと柔軟性の要求に答えていない。
【０００５】
更に、探し求める情報を保存しているデータベースのアドレスは、リーダー機器に知らせるとともに、アクセス可能でなければならない。このアドレスの変更は、すべての利用者に通知された場合にのみ可能であり、そのことは、使用の可能性を更に制限することとなる。
【０００６】
多くの場合、タグと関連した情報は、何度か更新又は再構成しなければならない。このことは、例えば、タグのメモリに新しい情報又は新しいコードを書き込むことによって行うことができ、それは、高価な再書込可能なタグの場合にのみ実現可能であり、その場合更に、タグが十分なメモリを持たなければならない。そのようなタグは、多くの場合通常の読み取り専用タグよりも１０〜５０倍高価なものとなる。
【０００７】
また、外部データベースにおいて、タグに対応するデータセットを更新することは、何時でも可能である。しかし、幾つかの異なるパートナーが、その情報を修正したいと考える場合、そのようなすべてのパートナーは、データベースの当該領域に書き込む権利を持たなければならず、そのことは、セキュリティの理由から、大抵の場合望ましいことではない。
【０００８】
特許文献２は、物理的又は電子的な実体にコードを付与する方法及びシステムを記載している。コードは、リーダー機器、例えば、カメラによって記録される。この記録されたコードにより、インターネットアドレスをデータベースで求めて、そのインターネットアドレスにブラウザーを用いてアクセスしている。この欠点は、更新することが難しい単一のコードだけを決めることにある。
【０００９】
特許文献３は、通信機器が、ＲＦＩＤインタフェースを介して、広告、ポスター等にアクセスすることができるシステムを記載している。そのため、ＵＲＬアドレスを備えており、インターネットを介して直接ページにアクセスしている。ＵＲＬアドレスは、しばしば変更又は更新されるので、ＲＦＩＤタグにおいてＵＲＬアドレスを如何にして更新するのかが疑問である。
【００１０】
特許文献４は、ＲＦＩＤインタフェースにより情報を求めるシステムを記載している。ＲＦＩＤインタフェースを備えた移動体通信機器が、直接インターネット又は電子メールアドレスを読み取り、インターネットを使って探し求める情報を受信している。特許文献３に関して示した欠点が、この場合にも適用される。
【特許文献１】米国特許公開第２００４／０４６６４２号明細書
【特許文献２】欧州特許公開第１０５４３３５号明細書
【特許文献３】欧州特許公開第１１９１４４８号明細書
【特許文献４】米国特許公開第２００２／１１６２６８号明細書
【発明の開示】
【発明が解決しようとする課題】
【００１１】
この発明の課題は、前記の問題を解決することができる新しい方法及び新しいタグを提案することである。
【００１２】
別の課題は、安価な読み取り専用タグを用いても十分なセキュリティと柔軟性が実現可能である、装置に対して情報を提供するための新しい方法を提案することである。
【００１３】
また、この発明の課題は、新しいデータをタグに書き込むこと無く、何時でも提供する情報を更新及び再構成することが可能である、装置に対して情報を提供するための方法を提案することである。
【００１４】
また、この発明の課題は、すべてのリーダー機器の利用者に通知すること無く、探し求める情報を保存しているメモリ領域の電子的なアドレスを変更することが可能な方法を提案することである。
【００１５】
また、別の課題は、異なる利用者又は異なる環境の同じ利用者が異なる情報にアクセスすることができるようにすることである。
【課題を解決するための手段】
【００１６】
これらの課題は、特に、請求項１の前段にもとづく方法において、ＲＦＩＤリーダー機器によって読み取ったコードのサブセットを当該の送信するセットに含めることと、当該のセットに含める一つ又は複数のコードを当該のリーダー機器において選定することとによって達成される。
【００１７】
これらの課題は、装置関連の独立請求項によるＲＦＩＤタグによっても達成される。
【００１８】
以上のことは、特に、探し求める情報又は所望のサービスが編集可能な電子的なハイパーテキストページを介して入手可能であるという利点を有するものである。
【００１９】
ページのアドレスは、ＲＦＩＤタグから読み出したコードに対応する。コードとページの電子的なアドレス間の関連付けは、静的ではなく、ネームサービスサーバーに登録されている。このことは、ページアドレスの変更が何時でも可能であり、簡単に追跡することができるという利点を有する。このことは、サーバーの単一アドレスにより、すべての網のすべての移動体機器から、サービスをオーダーすることができる汎用的なシステムであるという利点も有する。
【００２０】
装置と関連付けられたコード又は一定のコードセットの選定は、リーダー機器において手動で或いは自動的に行われる。このことは、異なる利用者（又は異なる状況の同じ利用者）が、異なるコード又はコードセットを使用することによって、異なる情報にアクセスすることができるという利点を有する。使用するコードは、読み取られた後でのみ選定されるので、タグ内に有るコードに関する事前の知識が不要である。更に、読み取り可能であり、かつ幾つかのコードから成るセットを提示可能な利用者に対してのみ一定の情報を提供可能とすることができ、そのことは、特に、セキュリティに関して厳しいアプリケーションでの利用に対する新しい手法を実現可能とする。
【００２１】
選定したコードセットは、読み取ったコードのサブセットを含むものである。リーダー機器の選定に依存して、このサブセットは、少なくとも一つのコードか、最大ですべての読み取ったコードを含むことができる（又は全くコードを含まない）。使用するコードの数は、リーダー機器により決まる。
【発明を実施するための最良の形態】
【００２２】
以下では、この発明について、図面にもとづき詳しく述べる。
【００２３】
図１は、利用者（又は移動体加入者）が、この発明による方法にもとづきサービス又は情報をオーダーするために使用するシステムを図示している。移動体機器３（例えば、移動体無線電話機又はセルラー移動体無線網とのインタフェースを備えたＰＤＡ）は、ショートメッセージ（例えば、ＳＭＳやＵＳＳＤ）及びデータ（例えば、ＩＰパケット）を移動体無線網４から受信するとともに、その網に送信することができる。この移動体無線網４は、データも伝送することができる網、例えば、ＧＳＭ、ＧＰＲＳ、ＨＳＣＳＤ、ＥＤＧＥ、ＵＭＴＳ又はＣＤＭＡ網である。網４において、移動体機器３は、網を介して、その機器を識別するための識別モジュール（例えば、ＳＩＭカード３０）を有する。移動体機器３内のプロセッサによって、一つ以上のソフトウェアアプリケーション３１を実行することができる。
【００２４】
移動体機器３は、更に、ＲＦＩＤリーダー機器２を有するか、或いは（例えば、ＵＳＢ、ファイヤーワイヤー、ＰＣカード、コンパクトフラッシュ(R)、専用又はその他の接続方式、或いはブルートゥースやＷＬＡＮの非接触接続方式により）そのようなリーダー機器と接続される。リーダー機器２は、マイクロコントローラと、近傍の装置１内のＲＦＩＤ構成部品とデータを非接触により交換するための少なくとも一つのアンテナ又はコイルを有する。データの伝送は、好ましくは、１３．５６ＭＨｚ、９００ＭＨｚ、８６０〜９３０ＭＨｚの中の一つ以上の周波数帯域で行われる。リーダー部分は、好ましくは、異なる周波数帯域で、かつ異なるＲＦＩＤにより動作するように選定することができる。ＲＦＩＤを読み出させる動作範囲は、リーダー部分とタグの向きに依存して、好ましくは、２〜１０メートルである。接続は、好ましくは、ＡＳＫ後方散乱変調による半二重モードで行われる。タグは、好ましくは、リーダー機器２から電力を供給され、そのため独立した電源装置を必要としない。
【００２５】
装置１は、一つ以上のタグ１１を有する。図２は、チップ１０，１０’を有する二つのタグ１１，１１’を備えた装置１を図示している。図３は、単一のタグ１１を備えた装置を図示している。
【００２６】
各タグ１１，１１’は、少なくとも一つのチップ１０，１０’と一本のアンテナを有する。図２の各チップ１０，１０’は、チップの製造時又は個人向け設定時にコード１００又は１０１等を保存するための固定メモリ領域を備えている。図３の実施形態では、幾つかのコード１００，１０１，１０２が、同じチップ１０内に保存されている。
【００２７】
コード１００，１０１，１０２は、好ましくは、６４、９６又はそれ以上のビットを有し、階層的に構成されている。リーダー機器２からの問合せに対するタグ１１の返答１０００は、好ましくは、ヘッダー１００１と、冗長的な検証データ１００２と、その次にタグ内のコード１００，１０１又は１０２、或いは同時にすべてのコードだけで構成される（図４）。リーダー機器２の近傍に有る装置の幾つかのコードは、順番にアクセスすることも可能である。リーダー機器２の問合せは、数値範囲を指定することができ、各タグ１１又は各チップ１０，１０’は、この数値範囲にもとづき、その問合せに対して、どの一つ又は複数のコードを返すのかを決定する。幾つかのコードを保存しているタグ１１は、例えば、一定に問合せに対して、一つのコードだけ又は限定された数のコードを返すことができる。タグは、セキュリティの理由から、時間間隔毎に別々の利用可能なコードを生成することも可能である。
【００２８】
その他のデータは、チップ１０のメモリ領域に保存して、リーダー部分により読み出すことができる。
【００２９】
チップ１０，１０’は、好ましくは、低価格かつ小さいサイズで生産することができる読み取り専用チップであり、多くの場合、二つの読み取り専用チップは、単一の再書込可能なチップよりも安価である。しかし、この発明の範囲内において、再書込可能なチップを使用することも可能である。
【００３０】
コード１００は、好ましくは、共通の認証機関によって、異なる装置製造業者、移動体無線網提供業者及び付加価値サービス提供業者に配布され、コードの一部は、好ましくは、装置１の提供業者の識別子を表す。装置の提供業者は、共通の認証機関から一連のコードを確保して、それらのコードの一部を、その次に装置と共に配布するタグ１０，１０’内に保存する。一つの装置に対して、幾つかの機関が異なるタグを配備することが可能である。
【００３１】
移動体機器３では、後で述べる通り、リーダー機器２を介して近傍のタグ内のコード１００，１０１，１０２を読み取って、その中のどのコードを更に情報又はサービスをオーダーするのに使用する必要があるのかを決定するための少なくとも一つのアプリケーション３１が配備されている。
【００３２】
コードの読み取りは、好ましくは、移動体機器３によって始動され、例えば、移動体機器が、連続的又は周期的に近傍のタグを探索して、見い出したタグ内のコードを読み出すか、処理するか、或いは転送することが可能である。別の低電流の実施形態では、読み取りは、移動体機器３の利用者によって始動され、利用者は、タグを読み出したい場合に、対応するアプリケーション３１を立ち上げるか、或いはコマンドを入力する。移動体機器３又はその他の機器を用いたタグの読み取りは、近い範囲内ではインタフェース（例えば、ブルートゥースまたはＷＬＡＮ）を介して、移動体無線網４を介して、或いはアクセスしているＷＥＢ又はＷＡＰページ上のリンクを介して、外部機器（例えば、販売ポイント又は自動機械）によって始動することもできる。
【００３３】
読み取った（幾つかの）コード１００の中からコードセットを選定し、処理するために、移動体機器３とリーダー機器２の両方又は一方にアプリケーション３１の一部として、簡単なフィルター及び処理手段を配備することができる。このアプリケーションは、例えば、コードの一定の部分だけを処理して転送することができる。それらしくない、或いはエラーを含むコードを削除するために、冗長性検査を配備することもできる。以前使用されていたコードは、好ましくは、将来における制御、静的な評価及びバックアップのために、移動体機器３のデータベースに保存される。
【００３４】
このアプリケーション３１では、この発明にもとづき選定されたコードセットを読み取るか、或いは転送する前に、パスワード又はその他の認証を要求することもできる。パスワードは、例えば、装置１の隠れた部分に印刷することができ、それを剥がすか、或いは別のチャネルを介して、移動体利用者に送ることができる。この場合、使用されるコードの選定は、既知のパスワードのリストにもとづき行うことができる。
【００３５】
一つの実施形態では、パスワードは、コード１００，１０１，１０２の一部を構成するか、或いはこのコードから関数を用いて求めることができる。パスワードは、例えば、パブリックキーを用いて検証することができる、コードのシグネチャーから取得することができる。この場合、権限の無い第三者が、対応する関数又はプライベート署名キーを知っていれば、コードだけからパスワードを求めることができる。この実施形態は、アプリケーション３１が、コードだけにもとづき、パスワードの有効性を検証することができるという利点を有する。
【００３６】
別の実施形態では、パスワードの有効性は、ＳＩＭカード３０、移動体機器３又は外部サーバー内のテーブルにもとづき検証される。
【００３７】
更に別の実施形態では、パスワードは、タグ１１に保存されており、タグにより検証される。しかし、この実施形態は、パスワードを保存、受信及び比較するためのデータ処理手段を有するより複雑なタグを必要とする。
【００３８】
移動体機器３又はリーダー機器２によってタグ１１から読み取られ、選定されたコードセットは、アプリケーション３１によって、オーダーメッセージ（例えば、ショートメッセージ、好ましくは、ＧＰＲＳ又はＵＭＴＳパケット）に纏められて、移動体無線網４を介して、周知のアドレスのサーバー５、好ましくは、移動体無線網４のインフラストラクチャー４０内のサーバーに送信される（図１）。このオーダーメッセージは、任意選択により、移動体機器３又はＳＩＭカード３０によって、タイムスタンプを押されるか、或いは設定される。
【００３９】
サーバー５は、幾つかの、或いは場合によってはすべてのＲＦＩＤリーダー２から受信する、コードセットの入ったオーダーメッセージを管理する。異なるエリアからのコードを異なった形で扱うか、或いは全く扱わないようにするために、その他のより複雑なフィルターをサーバー５に配備することができる。
【００４０】
受信したコード又はコードセットを処理するために、サーバー５がパスワードを要求することもでき、移動体機器と同様に、このパスワードは、コード自体から導き出すか、或いはテーブルにもとづき検証することができる。このパスワードは、例えば、コード１００，１０１と一緒に或いは対話形式で個別的に、一つのメッセージでサーバー５に伝送される。
【００４１】
サーバー５は、移動体機器３の利用者の識別を検証することもできる。このことは、サーバー５が、移動体無線網４の運用業者によって管理されている場合、なお一層信頼性を増すことととなる。この場合、移動体利用者の識別は、確実には、ＳＩＭカード内のＩＭＳＩ（国際移動電話加入者識別番号）又はその他の識別子にもとづき決定することができる。一定の情報及びサービスへのアクセスは、一定の利用者（例えば、相応に加入している、金銭口座に十分な残高を持っている、或いはそのプロファイルに対してサービスを提供することができる移動体利用者）にのみ許可される。
【００４２】
パスワードが間違っている、或いはその他の理由により探し求める情報又は所望のサービスを提供することができない場合、好ましくは、（例えば、ＳＭＳ、ＵＳＳＤ又はインターネットを介して）利用者にメッセージが送信される。何回かの試みが失敗した後は、セキュリティ上の理由から、確定的に、或いは一時的に、更なる試みを阻止することができる。この手法により、試みを繰り返すうちに、有効なコードに突き当たってしまうことを防止すること可能である。
【００４３】
サーバー５は、インターネット又はイントラネットを介して、各コードに対応した電子的なハイパーテキストページの電子的なアドレスを保存しているネームサービスサーバー６と接続される。また、一つの変化形態では、一つのページに対して、幾つかのコードの中の一定のセットが割り当てられる。
【００４４】
サーバー５は、受信した、コード１００，１０１の入った問合せ５０をネームサービスサーバー６に転送して、ネームサービスサーバーは、対応する電子的なアドレスを回答する（応答６０）。電子的なアドレスは、例えば、ＴＣＰ−ＩＰ網に関するＵＲＬ又はその他のアドレスで構成される。
【００４５】
ネームサービスサーバー６は、サーバー５の運用業者と外部の団体（例えば、コード１００を異なる会社に配布する機関）の両方又は一方によって管理することができる。所望のアドレスが、サーバー６内で見つからなかった場合に、別のネームサービスサーバーを検索するために、幾つかのネームサービスサーバーを相互に接続することができる。このことにより、例えば、移動体無線網の運用業者が、別の機関のコードを処理することも可能となる。外部のネームサービスのローカルなキャッシュをサーバー５又はサーバー５のドメイン内に配備することもでき、このキャッシュは、例えば、移動体無線網運用業者の価値保存カード内に有るコード１００に対応するアドレスのみを含むものとすることができる。
【００４６】
従って、移動体機器３の利用者は、すべてのサービス提供業者のすべてのコード１００，１０１，１０２のセットを、同じ目標とするサーバー５に常に送信して、このサーバーが、ネームサービスサーバー６又はネームサービスサーバー６の網から、探し求める情報又は所望のサービスを受けるためのベースとなるページアドレスを決定するようにすることができる。このため、オーダーメッセージの処理は、メッセージ内のコードにのみ依存することとなる。従って、幾つかのサービス提供業者の異なるサーバー５に届く同様のメッセージにより、同じサービス又は情報を提供することができる。
【００４７】
一つのコード又はコードセット１００とアドレス間のネームサービスサーバー６内における関連付けは、好ましくは、探し求める情報の提供業者によって、（例えば、専用のＷＥＢフォームにより）何時でも修正することができる。このことにより、最終利用者に通知することなく、ページ又はドメインの電子的なアドレスを変更することができる。
【００４８】
従って、所望のページのアドレスは、タグ１１内に保存されているコード又はコードセットにもとづき、一つだけ一義的に見い出すことができ、そのため、アクセスするページは、サーバー５のアドレス又は電話番号から完全に独立したものとなる。多くの装置と価値保存カードにマーキングしなければならず、そしてセキュリティの理由から、すべてのコードを使用することができないので、コードには、自由に使える十分なビットを持たなければならず、そして非常に多くの可能性の有る組み合わせが、既に割り当てられているので、例えば、単一のＩＰ番号では、恐らく不十分である。好ましくは、その他の独立したページアドレス指定方式も使用される。
【００４９】
サーバー５は、ネームサービスサーバー６から所望のページアドレスの入った応答６０を受信して、サーバー７、或いは幾つかのローカル又はリモートサーバーを持つ網内の対応するページにアクセスする（図１の問合せ５１と応答７０）。
【００５０】
一つの実施形態では、所望のページのアドレスは、ネームサービスサーバー６によって指定されたアドレスをコード１００の中の一つ以上のビットと組み合わせることによって得られる。この場合、ネームサービスサーバー６内のアドレスは、一つのエリアに対応し、そのエリア内の個々のページは、コードの一定の部分に対応する。このことは、ネームサービスサーバー６をより容易に構成することができるという利点を有する。
【００５１】
別の実施形態では、所望のページのアドレスは、ネームサービスサーバー６によって指定され、一つのセット内の幾つかの異なるコードに対応する幾つかのアドレスの組み合わせから得られる。一つのセット内の第一のコードを、例えば、一つのドメインに対応させる一方、第二のコードを、そのドメイン内の特定のページに対応させることができる。このようにして、読み取り可能であり、かつ幾つかのコードを提示可能な利用者、例えば、二つの特定のタグを持っていることを証明することができる利用者に対してのみ、一定の情報が提供可能となる。
【００５２】
タグ又は装置内の幾つかのコードは、一つ以上の情報提供業者によって、一つ以上の工程にもとづき書き込むことができる。
【００５３】
サーバー５によってアクセスされる、サーバー７内のページは、場合によっては、マークアップ言語のハイパーテキストコンテンツを含んでいる。一つの実施形態では、このページは、ＸＭＬ（拡張マークアップ言語）コンテンツで構成される。別の実施形態では、ページは、ＰＭＬ（物体情報マークアップ言語）コンテンツを含む。ページは、サーバー５及び最終的には移動体機器３が、サーバー７のサービス及びオブジェクトにアクセスすることができるためのＳＯＡＰ（シンプルオブジェクトアクセスプロトコル）、．ＮＥＴフレームワーク又はその他のＷＥＢサービスをサポートすることもできる。この場合、この発明による方法は、実行可能なプログラムコード要素、ＳＯＡＰサービス、．ＮＥＴサービスの中の一つ以上を提供することを含むものである。
【００５４】
サーバー５は、サーバー７から、所望のサービス又は情報を移動体機器３の利用者に提供するための所望のページをダウンロードするか、所望のサービス（又は指定されたアドレスのオブジェクト）にアクセスするか、その両方を行う。利用者は、例えば、標準的なブラウザーにより探し求める情報を再生することができる。
【００５５】
以下では、移動体機器３又はＲＦＩＤリーダー機器２において、一定のコードセットを如何にして選定するのかを述べる。
【００５６】
図５にもとづき詳細に記述する第一の実施形態では、先ずは、近くに有るタグ内の利用可能なすべてのコードを、ＲＦＩＤリーダー機器２によって読み取って、メニューにより表示し、そのメニューから、利用者は、一つ以上のコードから成るセットを選定することができる。読み取る利用可能なコードの探索は、所定の数字範囲内に限定することもできる。提示した例では、近くに有るタグ内で検出した三つのコードをメニューで表示しており、その中から、利用者は、一つ又は場合によっては幾つかのコードを選定して、対応する探し求める情報又は所望のサービスにアクセスすることができる。
【００５７】
権限の有る機関によるコード割当てに依存して、移動体機器３が、読み取ったコードから追加情報を直接求めて、メニューに表示することにより、コードの選定を容易にすることもできる。例えば、一定のコードに関して権限の有る機関の国籍又は識別子をそのコードから直接取得することが考えられ、それ以前の読み取りプロセスで得られた知見も利用可能である。
【００５８】
読み取ったコードは、直ちにサーバー５に送信するか、或いは後で利用するために、移動体機器３のメモリに保存することができる。
【００５９】
図６に図示した実施形態では、読み取ったコードのメニューは、リモートサーバー５又は７から取得した不完全な情報を既に含んでいる。この図では、近い範囲において読み取った各コードに関して、リモートサーバー７に保存されており、メニューを表示する前に取り出したコード発行権限機関の名称又は識別子が提示されている。このことにより、利用者の選定が著しく容易となっている。選定したコードに関する完全な情報は、メニュー内の相応のオプションを選定することによって、リモートサーバー７から伝送することができる。最初の情報をメニューに表示することを無料とする一方、場合によっては選定した完全な情報のダウンロードだけに課金することができる。
【００６０】
図５と６は、テキストメニューによる変化形態を図示している。この発明の範囲内においては、メニューのオプションを選定するために、その他の方式も可能であり、例えば、画像によるメニュー又は音声によるメニューを使用することもできる。
【００６１】
リーダー機器２は、アクセスすることができるすべてのタグを探索して、対応するコードにアクセスし、それらをメニューで表示することができる。読み取ったコードのリストは、メニューに表示する前に、所定の利用者のプリファレンス又はプロファイルにもとづき制限することができる。特定のコード又は特定のコードセットを自動的かつ利用者が介在すること無しに選定することも可能である。例えば、選定するコードセットの決定又はメニューに提示されたコードの選定のために、以下の従来から周知の選定基準を使用することができる。
【００６２】
・それ以前の利用者の決定から明示的又は暗示的に求められる利用者のプリファレンス及び／又は利用者のプロファイル。
【００６３】
・利用者の識別。例えば、この識別は、移動体機器３において利用可能なチップカードにもとづき決定することができる。例えば、移動体加入者識別子ＭＳＩＳＤＮ（移動体端末統合サービスディジタル網）又はＩＭＳＩ（国際移動電話加入者識別番号）を使用することができる。異なるプリファレンス又は権利を持つグループに利用者を纏めることもできる。このようにして、利用者が異なれば、異なるコード又はコートセットにアクセスすることとなる。
【００６４】
・チップカード（ＳＩＭカード３０）又は移動体機器３に保存されたその他のデータ。
【００６５】
・移動体機器又は移動体無線網インフラストラクチャ４０内の位置決定モジュールで求めることができる利用者の位置。この手法により、利用者は、別のコードを使用でき、そのため利用者の位置に従って異なる情報にアクセスすることができる。
【００６６】
・時間、例えば、絶対時間、曜日、季節、特定の出来事からの経過時間等。
【００６７】
・読み取ったコードのコード値又は数字範囲。これにより、利用者は、一定の数字範囲内のコードだけを使用したいと決めることができる。
【００６８】
・移動体機器３がアクセス可能な金銭口座で利用可能な金額。特定のコードに割り当てられた情報へのアクセスに対して、利用者に料金を請求することができ、利用者は、例えば、プリファレンスにおいて、ＳＩＭカード３０の前払い口座で支払うことができる場合にのみコードを使用したいと決めることができる。
【００６９】
・時間、利用者の位置、移動体無線網運用業者のプリファレンス等を含む移動体無線網４のインフラストラクチャ４０により決まるパラメータ。
【００７０】
・例えば、外国語でのメニュー情報や割引価格での情報を表示しないようにするためのメニュー表示前にリモートサーバー７から取得したパラメータ。
【００７１】
・コードを読み取る際の状況。例えば、利用者によるアクセス又は外部機器によるアクセスで始動されたかに依存して、別のコードを使用することができる。
【００７２】
・それ以前における利用者の一定の情報へのアクセス。既に読み出したページに対応するコード又はパスワードの投入が既に何回か失敗しているコードは、もはやメニューには提示されない。
【００７３】
・その他。
【００７４】
このようにして、移動体機器の利用者又は移動体機器３自体は、利用可能なコード又はコードセットを選定して、それに対応する情報にアクセスすることができる。
【００７５】
従って、この方法により、利用者は、装置に割り当てられたどの情報にアクセスしたいのかを決めることができる。様々な情報を利用可能とするために、別のアクセス権を要求するか、異なる形で料金を請求することができる。利用者が、一つ以上のタグ内に二つのコードを保存している装置を持っていることを証明することができた場合にのみ、その他の情報が利用可能となる。
【００７６】
提示した例では、タグは、最大で三つのタグを有する。しかし、この発明の範囲内においては、非常に多くのコード、例えば、何十、何百又は何千のコードを持つタグを使用することも可能である。このようにして、各プログラムに対して一つのコードを保存しているタグにＴＶメニューを保存することができる。利用者は、（例えば、時間間隔に対応する）所望の数字範囲内のすべてのコードを読み取って、選定したプログラムに関する情報又はオーダー用パラメータをリモートサーバー７に要求することができる。
【図面の簡単な説明】
【００７７】
【図１】移動体機器、ＲＦＩＤリーダー機器、ＲＦＩＤタグ及びリモートサーバーを備えたシステムのブロック図
【図２】独立して動作する幾つかのＲＦＩＤタグを備えた装置の概略図
【図３】幾つかのコードを保存しているＲＦＩＤタグを備えた装置の概略図
【図４】この発明によるコードが入ったメッセージの構造図
【図５】この発明による方法の第一の実施形態にもとづきコードを選定するためのリーダー機器２，３の概略図
【図６】この発明による方法の第二の実施形態にもとづきコードを選定するためのリーダー機器２，３の概略図
【符号の説明】
【００７８】
１        装置
１０      チップ
１０’    チップ
１１      タグ
１１’    タグ
１００    コード
１０１    コード
１０２    コード
１０００  返答
１００１  ヘッダー
１００２  検証データ
２        ＲＦＩＤリーダー機器
３        移動体機器
３０      ＳＩＭカード
３１      アプリケーション
４        移動体無線網
４０      移動体無線網インフラストラクチャ
５        サーバー
５０      問合せ
５１      問合せ
６        ネームサービスサーバー
６０      返答
７        サーバー
７０      返答
【図１】
2007529800.tif 000002
【図２】
2007529800.tif 000003
【図３】
2007529800.tif 000004
【図４】
2007529800.tif 000005
【図５】
2007529800.tif 000006
【図６】
2007529800.tif 000007
【手続補正書】
【提出日】平成18年11月16日(2006.11.16)
【手続補正１】
【補正対象書類名】特許請求の範囲
【補正対象項目名】請求項９
【補正方法】変更
【補正の内容】
【請求項９】
当該のリーダー機器（２）が、電子的な金銭口座にアクセス可能であり、
当該の情報にアクセスするために、当該の金銭口座から金額が差し引かれ、
金銭口座から支払うことができる場合にのみ、コードが選定される請求項１から８までのいずれか一つに記載の方法。
【国際調査報告】
2007529800.tif 000008
2007529800.tif 000009
2007529800.tif 000010
2007529800.tif 000011
2007529800.tif 000012
2007529800.tif 000013